(57)【要約】液晶を有するコンポーネントの製造方法が記されている。当該方法は、形づけられた面（１０２）を有するモールド（１００）と基板（１５０）との間に液晶（２００）を位置づけることを有する。形づけられた面（１０２）の少なくとも一部は、その上に形成されたアライメント層（１１０）を有する。基板（１５０）は、ボンディング層（１２０）が形成されている第１の面（１５２）を有する。モールドと基板は共に運ばれ、基板の第１の面とモールドの形づけられた面との間に液晶を挟む。液晶（２０２）はポリマー化され、ボンディング層（１２０）に接着する。接着されたポリマー化された液晶（２０３）を有する基板（１５０）がモールド（１００）から取り除かれる。
2006512226.tif 000002
【特許請求の範囲】
【請求項１】
液晶を有するコンポーネントの製造方法であって、
少なくとも一部はアライメント層を有する形づけられた面を有するモールドと、ボンディング層が形成されている第１の面を有する基板との間に液晶を位置づけ、
前記モールドと前記基板を共に運び、前記基板の前記第１の面と前記モールドの前記形づけられた面との間に前記液晶を挟み、前記液晶をポリマー化し、
前記ボンディング層に前記液晶を接着し、
前記接着されたポリマー化された液晶を有する前記基板を前記モールドから取り除く、ことを特徴とする方法。
【請求項２】
前記ボンディング層は、前記液晶の反応基に対する基と同じ系の共有結合形にボンドされた反応基を有する少なくとも１つの化学物質を有し、前記液晶がポリマー化された場合に、前記液晶は、前記ボンディング層と前記液晶との間に形成される化学ボンドによって前記ボンディング層に接着されることを特徴とする請求項１記載の方法。
【請求項３】
前記ボンディング層は、アクリレート、メタクリレート、エポキシド、オクセタネ、チオーレン、及びビニルエーテルの少なくとも１つを有する反応基を有する化学物質を有することを特徴とする請求項１記載の方法。
【請求項４】
アライメント層は、前記基板の前記第１の面上に形成されることを特徴とする請求項１乃至３いずれか一項記載の方法。
【請求項５】
単一の層が、前記基板の前記アライメント層と前記ボンディング層の双方に提供されるように使用されることを特徴とする請求項４記載の方法。
【請求項６】
前記基板及び前記モールドの少なくとも１つが、接着層によって設けられることを特徴とする請求項１乃至５いずれか一項記載の方法。
【請求項７】
前記接着層は、オルガノシラン化合物を有することを特徴とする請求項６記載の方法。
【請求項８】
前記オルガノシラン化合物は、メタクリル反応基又はアミノ末端基を有することを特徴とする請求項７記載の方法。
【請求項９】
前記基板は、光学的透過物質を有することを特徴とする請求項１乃至８記載の方法。
【請求項１０】
前記モールドの前記形づけられた面は曲面であり、前記基板と前記接着された液晶はレンズを形成することを特徴とする請求項１乃至９いずれか一項記載の方法。
【請求項１１】
前記アライメント層を前記モールドの前記形づけられた面に適用し、
前記アライメント層仲の特定の配向を誘発するステップを更に有することを特徴とする請求項１乃至１０いずれか一項記載の方法。
【請求項１２】
液晶を有する光コンポーネントであって、
前記光コンポーネントの少なくとも一部は請求項１乃至１１いずれか一項記載の方法から形成されることを特徴とする光コンポーネント。
【請求項１３】
前記光コンポーネントはレンズを有することを特徴とする請求項１２記載の光コンポーネント。
【請求項１４】
光記録担体の情報層を走査する光走査装置であって、
当該装置は、
放射ビームを生成する放射源と、
前記情報層に前記放射ビームを収束する対物システムと、
請求項１乃至１１いずれか一項記載の方法から形成される光コンポーネントと、
を有することを特徴とする光走査装置。
【請求項１５】
前記対物システムは、請求項１乃至１１いずれか一項記載の方法から形成されるレンズを有することを特徴とする請求項１４記載の装置。
【発明の詳細な説明】
【技術分野】
【０００１】
本発明は、液晶を有するコンポーネントの製造方法、当該方法によって製造された液晶を有するコンポーネント、及びこのようなコンポーネントを含む装置に関する。当該方法は、特にこれに限定されないが、光走査装置において使用される液晶レンズの製造に適している。
【背景技術】
【０００２】
光走査装置において使用される光ピックアップユニットが知られている。光ピックユニットは光ディスクのトラックを横切って走査する可動支持体上に設けられている。製造コストを減らし、走査装置に設けられた他のコンポーネントのための更なるスペースを許容すべく、光ピックアップユニットの大きさ及び複雑さは、望ましくは、出来るだけ実行性あるように減少される。
【０００３】
現代の光ピックアップユニットは、一般的には、コンパクトディスク（ＣＤ）及びデジタルバーサタイルディスク（ＤＶＤ）フォーマットのような少なくとも２つの光ディスクのフォーマットとコンパチブルである。最近、約２５ＧＢのデータ記憶容量（ＣＤの場合は６５０ＭＢの容量であり、ＤＶＤの場合は、４．７ＧＢの容量である）を提供する青色光ディスク（ＢＤ）フォーマットが提案されている。
【０００４】
小さい焦点スポット（焦点スポットの大きさは約λ／ＮＡである）を提供するために、小さい走査波長及び大きい開口数（ＮＡ）を使って、大きな容量の記憶が実行可能となり、ディスクの情報層中のより小さいマークを読み込むことができる。例えば、典型的なＣＤフォーマットは波長７８５ｎｍ及び開口数０．４５の対物レンズを利用し、ＤＶＤは波長６５０ｎｍ及び開口数０．６５を用い、ＢＤシステムは波長４０５ｎｍ及び開口数０．８５を用いる。
【０００５】
典型的には、物質の屈折率は波長の機能として様々である。従って、レンズは異なる焦点ポイント及び異なる入射波長の異なる性能を提供するものである。更には、ディスクは異なる厚さの透過層を有してもよく、これゆえ、異なるタイプのディスクに異なる焦点ポイントが要求される。
【０００６】
幾つかの例では、ディスク当りにおける情報層の数の増加により、記憶容量は更に増加する。例えば、二重層ＢＤディスクは２５μｍ厚さのスペーサ層によって分けられた２つの情報層を有する。このため、光ピックアップユニットからの光は、第２の情報層に焦点をあてるときに、スペーサ層を介して進まなければならない。これは、２５５ｍλ  ｒｍｓ（０．２５５λ平均二乗根）の球面収差、即ち、光の収束錐の軸に接近した光が、当該錐の外における光と比較して異なる焦点ポイントを有するという現象、をもたらす。これは、焦点スポットのぶれ及びディスクの読み込みにおける忠実度の損失をもたらす。
【０００７】
二重層の読込み及びバックワードコンパチブル性（即ち、異なるディスクフォーマットのために使用される同じ光システム）を実行するために、球面収差を補償する偏光感受レンズ（ＰＳレンズ）が提案されている。そのようなレンズは、液晶のような複屈折物質によって形成され得る。複屈折は、光ビームの２つの偏光の異なる屈折率の存在を示す。複屈折物質は、異常屈折率（ｎｅ）及び常屈折率（ｎｏ）を有し、屈折率間の相違はΔｎ＝ｎｅ−ｎｏである。ＰＳレンズは、同じ又は異なる波長が異なる偏光によりレンズに入射されることを保証することにより、単一又は異なる波長のための焦点ポイントを提供するために用いられ得る。
【０００８】
所望の光学特性を有するレンズを形成するために、液晶分子は、特定の配向において導かれる必要がある。この配向を含むよく知られた物質は、ポリイミドである。これらのポリイミドはたいてい、スピンコーティングを介して適用され、層上に設けられた液晶分子の配向をその後決めるポリイミドアライメント層の特定の配向を含むべく、毛羽立っていない布でその後擦られる。
【０００９】
しかしながら、液晶分子が配向されるべき基板が曲げられている（形づけられている、例えば、ステップ構造を有する）場合、基板を擦ることは、しばしば再生できない。更には、特定の所望の曲率を有する形づけられた基板を適切に形成することは、比較的高価である。
【００１０】
日本特許出願公開公報である特開平３−１５７８６１６号公報は、可変焦点液晶の平坦板の両面に接着剤を介して透過ポリカーボネートシートをラミネートさせ、引き続きモールドによりシートにプレスをかけて、所望の形状の液晶レンズを得るという液晶の製造方法を開示する。このような処理は、平坦板液晶層がラミネートの前に一列に配列されていることを要求する。更には、液晶の成形が、レンズ本体内において液晶のアライメントを変える動作をする傾向が強い。また、透過ポリカーボネートシートを取り除くことが必要となり、更なる処理ステップ及びレンズ表面の潜在的な損傷をもたらす。
【特許文献１】特開平３−１５７８６１６号公報
【発明の開示】
【発明が解決しようとする課題】
【００１１】
本発明の実施形態の目的は、先行技術の１以上の問題を解決する改良された製造処理を提供することである。
【００１２】
本発明の実施形態の目的は、比較的安価に製造可能な予め定められた形状を有する液晶を有するコンポーネントの形成を可能とする製造処理およびそのような方法により形成された液晶コンポーネントを提供することである。
【課題を解決するための手段】
【００１３】
本発明の第一の観点では、本発明は、液晶を有するコンポーネントの製造方法であって、少なくとも一部はアライメント層を有する形づけられた面を有するモールドと、ボンディング層が形成されている第１の面を有する基板との間に液晶を位置づけ、前記モールドと前記基板を共に運び、前記基板の前記第１の面と前記モールドの前記形づけられた面との間に前記液晶を挟み、前記液晶をポリマー化し、前記ボンディング層に前記液晶を接着し、前記接着されたポリマー化された液晶を有する前記基板を前記モールドから取り除く、ことを特徴とする方法を提供する。
【００１４】
このような方法は、予め定められた形状のモールドの再使用を可能とする。これは、製造プロセスにおける費用を減少させる。更には、モールド内のアライメント層が再使用でき、当該プロセスによって形成されるコンポーネントの形及び配向の再生産性が向上する。
【００１５】
別の観点では、本発明は、液晶を有する光コンポーネントであって、前記光コンポーネントの少なくとも一部は前記方法から形成されることを特徴とする光コンポーネントを提供する。
【００１６】
更なる観点では、本発明は、光記録担体の情報層を走査する光走査装置であって、当該装置は、放射ビームを生成する放射源と、前記情報層に前記放射ビームを収束する対物システムと、前記方法から形成される光コンポーネントと、を有することを特徴とする光走査装置を提供する。
【発明を実施するための最良の形態】
【００１７】
本発明をより理解するために、本発明の実施形態がどのように効果をもたらすのか、図面を参照して説明される。
【００１８】
図１Ａ乃至図１Ｆは、本発明の望ましい実施形態の、光コンポーネントの第１部分の形成における夫々のステップを示した図である。この例では特に、光コンポーネントは、液晶複屈折レンズを含む。
【００１９】
図１Ａに示すように、第１のステップでは、結果的な光コンポーネントの形状の一部を定める形状づけられた表面１０２を有するモールドが設けられる。この例では特に、液晶は究極的には光重合され、その結果、液晶、例えばガラスを重合するために使用される放射に透過な物質から形成される。
【００２０】
アライメント層１１０は曲面１０２に配置され、アライメント層にその後位置づけられる液晶中の予め定められた配向（矢印方向１１０により図示）を誘発する。
【００２１】
この実際の例では、アライメント層はポリイミド（ＰＩ）層である。ポリイミドは溶液からのスピンコーティングを用いて施される。ポリイミドは一列に配列され、特定の配向を誘発する（この配向は、液晶分子の結果的配向を決定する）。例えば、知られているプロセスは、単一の方向で毛羽立っていない布でポリイミド層を繰り返し擦り、この配向（１１０）を誘発する。
【００２２】
特にこの実施形態では光学素子の一部を形成する基板１５０は、第１表面１５２に施されたボンディング層１２０を有する。ボンディング層は液晶との接着を形成する。この例では、ボンディング層はまた、ポリイミドを有するアライメント（又は配向）層である。ボンディング層は、液晶分子との化学的接着を形成する反応性基を包含し、液晶分子のような同じタイプの反応性基を有し、液晶分子を光ポリマー化するときに、基板上のボンディング層との化学接着が形成される。これは、基板と液晶層とのきわめて良好な接着をもたらす。ボンディング層は同じタイプのプロセスを用いて基板上に成膜され得り、モールド１００上にアライメント層を一列に配列する。アライメント層としても機能するボンディング層は、液晶コンポーネントの所望の特性に依拠して予め定められた配向（矢印１２０）中に配向される。
【００２３】
この例では特に、ＰＳレンズが形成され、ボンディング層がモールド上のアライメント層の方向１１０と平行になるように一列に配列される。望ましくは、ボンディング層の回転は、平行となるが、アライメント層の配向と反対方向となる。
【００２４】
図１Ｂに示されるように、１以上の液晶を組み入れる化合物２００が、基板１５０の第１表面１５２とモールド１００の曲面１０２の間に位置付けられている。
【００２５】
この例では、図２Ｂに示されるように、化合物２００は２つの異なる液晶の混合を有する。これら２つの異なる液晶は、液晶の１つがポリマー化されると所望の屈折率特性をもたらすように選ばれる。
【００２６】
液晶２００の小滴が基板の第１表面１５２上に位置づけられる。化合物２００は光コンポーネント内の気泡の含有を避けるべくガス抜きされる。イソコラス（即ち、一定体積）ポリマー化の際の収縮からの駆動力はポリマー化液体中の多大な圧力減少をもたらすため、（イソコラス）ポリマー化の際に凝固された液体から出てくる溶解されたガスからの気泡の形成が避けられる。
【００２７】
ガラスモールドは加熱され、液晶は等方性相（典型的には８０℃乃至１２０℃）となり、所望の形状への液晶の引き続く流れを促進する。
【００２８】
基板とモールドは引き続き一緒に運ばれ、最終的な光コンポーネントの液晶部分２０１の形状を形成する（図１Ｃ）。液晶がモールドと基板との間で等質層を形成することを保証すべく、基板をモールド側に（その反対もしかり）押すために圧力が施される。
【００２９】
基板／モールド／液晶は、例えば３０分間室温になるように冷却され、液晶は等方相から来るネマチック相に入る。
【００３０】
ネマチック相に入ると、マルチドメインが液晶混合物に現れる。その結果、混合物は、マルチドメイン配向を破壊する透明点まで加熱され得る（例えば、混合物は１０５℃まで３分間加熱されてもよい）。引き続き、混合物は、均質な配向２０２を得るために冷却され得る（図１Ｄ）。
【００３１】
均質な液晶混合物は、紫外線放射源３００（図２Ｅ参照）からの光３０２を用いて、例えば、６０秒間、１０ｍＷ／ｃｍ２のＵＶ光輝度が施されて光ポリマー化される。同時に、化学接着が液晶とボンディング層との間で形成される。
【００３２】
引き続き、光学要素（１５０、２０３）はモールド１００からリリースされ得る（図１Ｆ）。例えば、これは、問題となっている対象４００を越えてモールド１００を僅かに曲げることにより得られる。あるいは、平坦なサポート中の平坦な基板の部分に圧力をかけることによって得られ、平坦な基板を僅かに曲げる。従来のポリイミド（反応性基なし）がモールド上に設けられ、この液晶／基板要素は、容易にモールドから分離される。
【００３３】
図１Ｂ−１Ｆにおいて図示されたステップを繰り返すことにより、コールドは、その後の要素を生産するために再使用され得る。典型的には、アライメント層は、モールド上に残り、再度施す必要はない。
【００３４】
必要であれば、基板１５０から液晶２０２を取り除くために更なるプロセスステップが実行され得る。しかしながら、多くの場合では、基板１５０は最終的な光学要素の一部を形成することが想定される。
【００３５】
レンズの光学特性におけるモールドパラメータの影響を特徴づけるための実験では、３つの異なる形状のモールドが利用された。図２は、ｒを曲率半径、ｄを直径、ｈを高さ、及びαをモールド面と接線との角度としたときの、３つの異なる形状のモールドのパラメータを図示したものである。表１は、３つの異なるモールドの異なるパラメータを示したものである。
【００３６】
【表１】
2006512226.tif 000003
アライメント層中での使用に適したポリイミドは、日本合成ゴム社によって提供されるＯＰＴＭＥＲ  ＡＬ−１０５１である。γ−ブチロラクトン中の溶液からスピンコーティングされたＭｅｒｃｋ  ＺＬＩ２６５０はボンディング層としてのメタクリル基と共に適切な反応性ポリイミドとして使用され得る。
【００３７】
上述の如く、望ましい実施形態では、２つの液晶の混合物が、所望のｎｅ及びｎｏを得るために利用される。利用される２つの液晶は、１，４−ｄｉ（４−（３−アクリロイルオキシプロピルオキシ）ベンゾイルオキシ）−２−メチルベンゼン（ＲＭ２５７）及びＥ７（シアノトリフェニル化合物の小さな部分と共にシアノビフェニル混合物）であり、両者ともドイツのダームスダットのメルク社から得られる。第１の層２０３中の液晶の光ポリマー化のための光イニシエータが、スイスのバゼルのシバガイギ社から入手可能なＩｒｇａｃｕｒｅ  ６５１である。
【００３８】
半径４９ｍｍを有するモールドから作られたレンズが、モールド面がステッパーであるひとみ境界に近い領域におけるきわめて等質な液晶配向を有する最も良い光学特性を示している。全平均二乗根波面収差は、４３０ｎｍのレーザ波長を用いると、一般的には０．０１５波長よりも小さい。
【００３９】
モールドからレンズが離れるのを促進すべく、界面活性剤は液晶と混合される。利用される界面活性剤は、ＦＣ１７１パーフルオリネイトされた界面活性剤（３Ｍ）及び２−（Ｎ−エチルパーフルオロオクタン  スルホナミド−エチルアクリレート（Ａｃｒｏｓ）である、界面活性剤の使用は、液晶の配向の影響へと見られる（界面活性剤が使用されたときに、より低いΔｎが見られる）。
【００４０】
一般的には、液晶レンズの光学収差は非常に小さく、平均二乗根波面収差は。０．０２波長よりも小さい。
【００４１】
図３は、本発明の実施形態の対物レンズ１８を含む光記録担体２を走査する装置１を示した図である。記録担体は透過層３を含み、透過層３の１つの側に情報層４が配置されている。透過層から離れて面している情報層の側は、保護層５によって環境的影響から保護される。装置に面している透過層の側は、入口面６と呼ばれる。透過層３は、情報層のための機械的支持を提供して記録担体のための基板として作用する。
【００４２】
あるいは、透過層は、情報層を保護するただ１つの機能を有していてもよく、機械的支持が情報層の他方の層、例えば、保護層５又は更なる情報層及び情報層４に接続された透過層、によって提供される。情報は、図示を省略するが、実質的に平行、同心円、又は螺旋トラック状に配置された検出可能なマークの形で記録担体の情報層に記憶され得る。マークは、ピット状のように如何なる光学的に読むことができる形、反射係数又は周囲からの異なる磁化の方向を伴う領域、又はこれらの組み合わせであってもよい。
【００４３】
走査装置１は、放射ビーム１２を発光し得る放射源１１を有する。放射源は半導体レーザであってもよい。ビームスプリッタ１３は、分岐する放射ビーム１２をコリメータレンズ１４に向けて反射し、分岐する放射ビーム１２をコリメートされたビーム１５に変換する。コリメートされたビーム１５は、対物システム１８に入射される。
【００４４】
対物システムは１以上のレンズ及び／又は回折格子を有してもよい。対物システム１８は光軸１９を有する。対物システム１８は、ビーム１７を分岐するビーム２０に変え、記録担体２の入口面６に入射する。対物システムは、透過層３の厚さを通じて放射ビームの通過に適合された球面収差補正を有する。分岐ビーム２０は、情報層４上にスポット２１を形成する。情報層４によって放射は、分岐ビーム２２を形成し、対物システム１８によって実質的にコリメートされたビーム２３へ変え、コリメータレンズ１４によって分岐ビーム２４に変える。ビームスプリッタ１３は、分岐ビーム２４の少なくとも１部を検出システム２５に送ることにより、フォワードビーム及び反射されたビームに分ける。検出システムは放射を捕獲し、放射を電気的出力信号２６に変換する、信号プロセッサ２７は、これらの出力信号を様々な他の信号に変換する。
【００４５】
信号の１つが、情報信号２８であり、その値は情報層４から読まれる情報を示す。情報信号は、エラー補正のための情報処理ユニット２９によって処理される。信号プロセッサ２７からの他の信号は焦点エラー信号及び放射エラー信号３０である。焦点エラー信号は、スポット２１及び情報層４の間の高さにおける軸相違を示す。放射エラー信号は、スポット２１と、スポットによって引き続かれるべき情報層中のトラックの中央との間の情報層４の面における距離を示す。
【００４６】
焦点エラー信号及び放射エラー信号はサーボ回路３１に与えられ、これらの信号は焦点アクチュエータ及び放射アクチュエータを夫々制御するサーボ制御信号３２に変換される。アクチュエータは図示されていない。焦点アクチュエータは、焦点方向３３において対物システム１８の位置を制御し、情報層４の面と実質的に一致するようにスポット２１の実際の位置が制御される。放射アクチュエータは、放射方向３４において対物レンズ１８の位置を制御し、情報層４において引き続かれるべきトラックの中央線と実質的に一致するようにスポット２１の放射位置が制御される。図におけるトラックは、図の面と垂直な方向に動く。
【００４７】
この実施形態における図３の装置は、記録担体２よりも厚い透過層を有する第２のタイプの記録担体も走査することに適合している。装置は、放射ビーム１２又は第２のタイプの記録担体を走査する異なる波長を有する放射ビームを有してもよい。この放射ビームの開口数は、記録担体のタイプに適合してもよい。従って、対物システムの球面収差補償も適合されなければならない。
【００４８】
図４Ａ及び図４Ｂは、上述の実施形態により製作された偏光感受レンズが、二重層光記録媒体２’を読み込むのに適した２つの異なる焦点ポイントを設けるために、どのように利用され得るのかを示す。二重層媒体２’は、２つの情報層（４、４’）と、透過層３内の深さｄにおける第１の情報層４と、第１の情報層４の下の更なる長さΔｄに第２の情報層４’を有する。
【００４９】
図４Ａ及び図４Ｂに示される実施形態では、対物システム１８は、（上述の如く製造され、液晶２０３を有する）偏光感受レンズ１８１、及び第２のレンズ１８２を有する。
【００５０】
対物システムの焦点ポイントは、液晶レンズ１８１の二重焦点性を用いて変えられ得る。特に、レンズ製造において使用される基板１５０はガラスである。更には、基板は平面シートであり、レンズの焦点力に影響は与えない。レンズ１８１の焦点長は、異常モード及び常モードにおいて夫々ｆｅ＝ｒ／（ｎｅ−ｎａ）及びｆ０＝ｒ／（ｎ０−ｎａ）である。ここで、ｎａは空気の屈折率であり、ｒはレンズの曲率半径である。
【００５１】
その結果、液晶配向と平行な偏光を有する光信号を提供することが分かり、レンズ１８１の異常モードが利用され、対物システム１８はより近い情報層４にコリメートされたビーム１５の焦点を合わす。しかしながら、コリメートされたビームが、液晶配向と垂直は偏光を有する対物システム１８に入射すると、常モードにおける対物システム１８の焦点は更に離れ、即ち、第２の情報層４’上となる。
【００５２】
上述の実施形態は本発明の例示であって、様々に変えることは当業者にとって明らかなこおとである。例えば、偏光感受レンズの製造に適した方法が記載されてきたが、特に、光コンポーネントが曲面又はモールド上にステップ面等の、形づけられる面を有する場合等、液晶から如何なる光コンポーネントも製造することができる。
【００５３】
例えば、本方法は、角度最適化を見るための、視覚的ディスプレイの面上又は面中で使用可能な補償箔の如き大きな面を有するコンポーネントを形成するために使用できる。そのような補償箔では、ディスプレイスクリーン自身を、製造方法における基板として使用できる。
【００５４】
モールドはガラスのような堅い物質を含む如何なる物質から成ってもよい。
【００５５】
更に、モールドの形状づけられた表面は、寸法づけられ、その方法の間、液晶物質の形状又は容積における如何なる変化も認めるものである。例えば、典型的には液晶モノマーは、単一のボンドとして再形成された液晶内での二重ボンドのために、重合の際に僅かに収縮する。僅かに大きいモールドと基板により定められた光コンポーネントを適切に形成することにより、適切なサイズと形状づけられたコンポーネントが生産され得る。
【００５６】
本例では基板は、２つの平坦で実質的に平行な側を有するガラスの単一のシートを有するように、見えるが、基板は実際には如何なる所望の形状であってもよい。
【００５７】
余剰接着層を（ボンディング層を基板上に成膜し、モールドに配向層を成膜する前に）モール及び／又は基板に適用してもよく、適用された層がモールド及び基板に良く張り付けられることが確認される。例えば、オルガノシランをこの接着層に設けるように使用してもよい。メタクリレート基を有するオルガノシランを基板に使ってもよく、アミン末端基を有するオルガノシランをモールドに使ってもよい。
【００５８】
同様に、アライメント層は、如何なる所望の配向を有してもよい。例えば、モールド上のアライメント層の配向と垂直な基板上のアライメント層の配向を位置づけることにより、ねじれたネマチック装置を形成できる。
【００５９】
上記方法により、予め定められた形状のモールドを再使用でき、製造処理の費用を減少させ、製造される光コンポーネントを一致した大きさで作ることができる。
【図面の簡単な説明】
【００６０】
【図１Ａ】本発明の望ましい実施形態の液晶レンズの形成における方法ステップを示した図である。
【図１Ｂ】本発明の望ましい実施形態の液晶レンズの形成における方法ステップを示した図である。
【図１Ｃ】本発明の望ましい実施形態の液晶レンズの形成における方法ステップを示した図である。
【図１Ｄ】本発明の望ましい実施形態の液晶レンズの形成における方法ステップを示した図である。
【図１Ｅ】本発明の望ましい実施形態の液晶レンズの形成における方法ステップを示した図である。
【図１Ｆ】本発明の望ましい実施形態の液晶レンズの形成における方法ステップを示した図である。
【図２】図１に示した方法において使用されるモールドの断面図である。
【図３】本発明の望ましい実施形態の液晶レンズを含む光記録担体を走査する装置を示した図である。
【図４】Ａ乃至Ｂは、図３に示した走査装置の光システムがどのように、二重層光記録担体中の異なる層を走査する光の異なる偏光と共に使用され得るかを示した図である。
【図１Ａ】
2006512226.tif 000004
2006512226.tif 000005
2006512226.tif 000006
【図２】
2006512226.tif 000007
【図３】
2006512226.tif 000008
【図４】
2006512226.tif 000009
【国際調査報告】
2006512226.tif 000010
2006512226.tif 000011